(57)【要約】【課題】透明部材の内面での光の反射に起因する画質の低下を軽減することが可能な反射型液晶表示装置を提供する。【解決手段】反射型液晶表示パネル２の画像表示面と偏光ビームスプリッター６の光透過反射面との間に第一の透明部材１０が配置された反射型液晶表示装置において、第一の透明部材１０の第一の面１０ａから入射した直線偏光の一部を反射型液晶表示パネル２の画像表示領域に直接入射しない方向へ反射する第四の面１０ｄを、第一の透明部材１０の端部に設ける。【選択図】図１
2020003727.tif 000002
【特許請求の範囲】
【請求項１】
光源と、
反射型液晶表示パネルと、
前記光源から出射された光に含まれる互いに偏光軸が直交する二種類の直線偏光のうち一方の直線偏光のみを透過させる偏光板と、
前記偏光板を透過した前記一方の直線偏光を前記反射型液晶表示パネルの画像表示面に向けて反射すると共に、前記反射型液晶表示パネルの前記画像表示面から出射された前記一方の直線偏光とは偏光軸が直交する他方の直線偏光を透過させる光透過反射面を有する偏光ビームスプリッターと、
前記反射型液晶表示パネルの前記画像表示面と前記偏光ビームスプリッターの前記光透過反射面との間に配置された透明部材と、
を有する反射型液晶表示装置であって、
前記反射型液晶表示パネルの前記画像表示面に沿った方向に位置する前記透明部材の端部は、前記偏光板から出射して前記透明部材に入射した前記一方の直線偏光の一部を前記反射型液晶表示パネルの画像表示領域に直接入射しない方向へ反射する反射面を有する、
ことを特徴とする反射型液晶表示装置。
【請求項２】
前記反射面は、前記反射型液晶表示パネルの前記画像表示面に対して傾斜する傾斜面を有する、ことを特徴とする請求項１に記載の反射型液晶表示装置。
【請求項３】
前記反射面は、前記透明部材の内側へ向かって突出する凹面を有する、ことを特徴とする請求項１又は２に記載の反射型液晶表示装置。
【請求項４】
前記反射面は、前記透明部材の外側へ向かって突出する凸面を有する、ことを特徴とする請求項１〜３の何れか一つに記載の反射型液晶表示装置。
【請求項５】
前記反射面により反射された前記一方の直線偏光が入射する領域には、前記一方の直線偏光を吸収する光吸収部材が配置されている、ことを特徴とする請求項１〜４の何れか一つに記載の反射型液晶表示装置。
【発明の詳細な説明】
【技術分野】
【０００１】
本発明は、反射型液晶表示装置に関するものである。
【背景技術】
【０００２】
近年、反射型液晶表示装置における低背化は、例えば、反射型液晶表示装置の小型化や、観測者と液晶表示パネルの距離を近づけることで、液晶表示パネルの視認性や集光効率を向上させるために必要な技術とされており、さらにその要求は強くなっている。その要求を満たすため、液晶表示パネルの照明光学系の一部に透明部材（プリズム）を用いた反射型液晶表示装置が提案されている。
【０００３】
図５は、従来の反射型液晶表示装置を示す縦断面図である。従来の反射型液晶表示装置では、以下の構成を備えている。回路基板１の同一面上には、画像表示面を上方に向けて反射型液晶表示パネル２が配置され、それと隣接するように光出射面を上方に向けて光源３が配置されている。反射型液晶表示パネル２の上方とその周囲には、反射型液晶表示パネル２を覆うように、第一の筐体７が配置され、光源３の上方とその周囲には、光源３を覆うように、第二の筐体８が配置されている。第二の筐体８の内面には、光源３から出射された光を反射型液晶表示パネル２の上方に配置された板状の偏光ビームスプリッター６へ向かって案内するための第一の反射面８ａと第二の反射面８ｂが設けられている。第二の反射面８ｂから偏光ビームスプリッター６へと進む光路上には、光を拡散させる拡散板４と、互いに偏光軸が直交する二種類の直線偏光のうち一方の直線偏光（以下Ｐ波という）のみを透過させる偏光板５が配置されている。偏光ビームスプリッター６は、Ｐ波を反射し、それと偏光軸が直交する他方の直線偏光（以下Ｓ波という）を透過させる光透過反射面を有するもので、偏光板５から偏光ビームスプリッター６に入射したＰ波を反射型液晶表示パネル２の画像表示面へ垂直に入射させるように傾斜角が決められ、第一の筐体７により保持されている。
【０００４】
また、従来の反射型液晶表示装置は、光源３から出射された光を屈折させるための第一の透明部材１０と第二の透明部材１１を備えている。第一の透明部材１０は、偏光板５から出射されたＰ波が入射する第一の面１０ａと、偏光ビームスプリッター６の光透過反射面と対向する第二の面１０ｂと、反射型液晶表示パネル２の画像表示面と対向する第三の面１０ｃとで構成される側面と、それらの側面と直角に接続される互いに平行な２つの底面（不図示）とを有する直角三角柱状の透明部材である。第二の透明部材１１は、第一の筐体７の側面と対向する第一の面１１ａと、偏光ビームスプリッター６の光透過反射面と対向する第二の面１１ｂと、観察者の目９に向かって光が出射される第三の面１１ｃとで構成される側面と、それらの側面と直角に接続される互いに平行な２つの底面（不図示）とを有する直角三角柱状の透明部材である。第一の透明部材１０は、第三の面１０ｃが反射型液晶表示パネル２の画像表示面と対向するように、反射型液晶表示パネル２の上方に配置されている。第二の透明部材１１は、第二の面１１ｂが第一の透明部材１０の第二の面１０ｂと対向するように、第一の透明部材１０の上方に配置されている。第一の透明部材１０と第二の透明部材１１は、例えば、光の屈折率が１．５程度のアクリルで構成され、互いに同形状を有している。
【０００５】
第一の透明部材１０と第二の透明部材１１との間には、空気層１２が設けられている。空気層１２は、第一の透明部材１０の第二の面１０ｂと偏光ビームスプリッター６の光透過反射面との間に設けられた下部空気層１２ａと、第二の透明部材１１の第二の面１１ｂと偏光ビームスプリッター６の光透過反射面との間に設けられた上部空気層１２ｂとで、構成されている。さらに、第一の透明部材１０の第三の面１０ｃと反射型液晶表示パネル２の画像表示面との間には、空気層１３が設けられている。
【０００６】
光源３から出射された光の主光束は、図５中の矢印で示されるような経路をたどって反射型液晶表示パネル２の画像表示面に垂直に入射する。反射型液晶表示パネル２の画像表示面から出射された光の主光束は、図５中の矢印で示されるような経路をたどって観察者の目９に入射する。
【０００７】
反射型液晶表示パネル２は、電源オフ状態でＰ波がそのまま液晶を通過するように構成されており、偏光ビームスプリッター６側から反射型液晶表示パネル２の画像表示面に垂直に入射したＰ波はそのまま液晶を通過し、反射型液晶表示パネル２の裏面側に設けられた反射要素（反射電極等）で垂直に反射され、反射されたＰ波は再び偏光ビームスプリッター６へ向かって進む。偏光ビームスプリッター６はＰ波を透過しない状態に配置されているため、Ｐ波は遮断され、電源オフ状態では黒表示状態となる。
【０００８】
一方、反射型液晶表示パネル２は、電源オン状態では液晶がＰ波をＳ波へと変換し、Ｓ波はＰ波と同様に反射型液晶表示パネル２の裏面側で反射され、偏光ビームスプリッター６へ向かって進む。偏光ビームスプリッター６はＳ波を透過する状態に配置されているため、Ｓ波は透過し、電源オン状態では白表示となる。
【０００９】
以上のプロセスは反射型液晶表示パネル２の画素毎に行われ、偏光ビームスプリッター６を通過したＳ波が観察者の目９へと到達し、映像として視認される。
【００１０】
図５に示したような、反射型液晶表示パネル２と偏光ビームスプリッター６との間に光を屈折させるための透明部材が配置された従来の反射型液晶表示装置は、例えば、特許文献１、２に開示されている。
【先行技術文献】
【特許文献】
【００１１】
【特許文献１】特開２０１４−２０９２２５号公報
【特許文献２】特開２００４−６１６９９号公報
【発明の概要】
【発明が解決しようとする課題】
【００１２】
図６は、従来の反射型液晶表示装置の部分斜視図である。図６に示した従来の反射型液晶表示装置において、光源３と拡散板４と偏光板５と第二の筐体８とがユニット化された光源ユニット１４より出射されたＰ波の一部である偏光成分Ｐ１は、第一の透明部材１０の第一の面１０ａに入射し、第二の面１０ｂに向かって進むが、その際、光源ユニット１４より出射されたＰ波のその他の一部である偏光成分Ｐ２は、第一の透明部材１０の第一の面１０ａに入射した後、第一の透明部材１０の内部を通過し、第一の透明部材１０の底面である第四の面１０ｄに入射し、その面で反射型液晶表示パネル２の画像表示面に向かって反射される。反射型液晶表示パネル２の画像表示面に入射した偏光成分Ｐ２は、そこで映像光（Ｐ波とＳ波の混合光）となって第一の透明部材１０の第二の面１０ｂ側へ反射され、反射された映像光の一部は、第一の透明部材１０の第二の面１０ｂを通過して偏光ビームスプリッター（不図示）の光透過反射面に入射し、偏光ビームスプリッター（不図示）の光透過反射面に入射した映像光に含まれるＳ波の一部である偏光成分Ｓ２は、偏光ビームスプリッター（不図示）の光透過反射面を通過し、Ｓ波の主光束である偏光成分Ｓ１（偏光成分Ｐ１から生成されたＳ波）に混入し、観察者の目９に余分な映像光として視認される。つまり、透明部材の内面で光が不要に反射することにより、映像の一部が白くなるフレア現象や、映像光に関係のない反射光から生まれるゴースト現象や、コントラストの低下を引き起こす。
【００１３】
本発明は、以上の問題に鑑みたもので、透明部材の内面での光の反射に起因する画質の低下を軽減することが可能な反射型液晶表示装置を提供することを目的とする。
【課題を解決するための手段】
【００１４】
光源と、反射型液晶表示パネルと、前記光源から出射された光に含まれる互いに偏光軸が直交する二種類の直線偏光のうち一方の直線偏光のみを透過させる偏光板と、前記偏光板を透過した前記一方の直線偏光を前記反射型液晶表示パネルの画像表示面に向けて反射すると共に、前記反射型液晶表示パネルの前記画像表示面から出射された前記一方の直線偏光とは偏光軸が直交する他方の直線偏光を透過させる光透過反射面を有する偏光ビームスプリッターと、前記反射型液晶表示パネルの前記画像表示面と前記偏光ビームスプリッターの前記光透過反射面との間に配置された透明部材と、を有する反射型液晶表示装置であって、前記反射型液晶表示パネルの前記画像表示面に沿った方向に位置する前記透明部材の端部は、前記偏光板から出射して前記透明部材に入射した前記一方の直線偏光の一部を前記反射型液晶表示パネルの画像表示領域に直接入射しない方向へ反射する反射面を有する、反射型液晶表示装置とする。
【００１５】
前記反射面は、前記反射型液晶表示パネルの前記画像表示面に対して傾斜する傾斜面を有する、反射型液晶表示装置であっても良い。
【００１６】
前記反射面は、前記透明部材の内側へ向かって突出する凹面を有する、反射型液晶表示装置であっても良い。
【００１７】
前記反射面は、前記透明部材の外側へ向かって突出する凸面を有する、反射型液晶表示装置であっても良い。
【００１８】
前記反射面により反射された前記一方の直線偏光が入射する領域には、前記一方の直線偏光を吸収する光吸収部材が配置されている、反射型液晶表示装置であっても良い。
【発明の効果】
【００１９】
本発明によると、透明部材の内面での光の反射に起因する画質の低下を軽減することが可能な反射型液晶表示装置を提供することができる。
【図面の簡単な説明】
【００２０】
【図１】本発明による反射型液晶表示装置の一実施形態を示す斜視断面図（実施例１）
【図２】本発明による反射型液晶表示装置の一実施形態を示す部分斜視図（実施例１）
【図３】本発明による反射型液晶表示装置のその他の実施形態を示す部分斜視図（実施例２）
【図４】本発明による反射型液晶表示装置のその他の実施形態を示す部分斜視図（実施例３）
【図５】従来の反射型液晶表示装置を示す縦断面図
【図６】従来の反射型液晶表示装置の部分斜視図
【発明を実施するための形態】
【実施例１】
【００２１】
図１は、本発明による反射型液晶表示装置の一実施形態を示す斜視断面図である。本発明による反射型液晶表示装置の一実施形態は、以下の構成を備えている。回路基板１の同一面上には、画像表示面を上方に向けて反射型液晶表示パネル２が配置され、それと隣接するように光出射面を上方に向けて光源３が配置されている。反射型液晶表示パネル２の上方とその周囲には、反射型液晶表示パネル２を覆うように、第一の筐体７が配置され、光源３の上方とその周囲には、光源３を覆うように、第二の筐体８が配置されている。第二の筐体８の内面には、光源３から出射された光を反射型液晶表示パネル２の上方に配置された板状の偏光ビームスプリッター６へ向かって案内するための第一の反射面８ａが設けられている。第一の反射面８ａから偏光ビームスプリッター６へと進む光路上には、光を拡散させる拡散板４と、互いに偏光軸が直交する二種類の直線偏光のうち一方の直線偏光（以下Ｐ波という）のみを透過させる偏光板５が配置されている。偏光ビームスプリッター６は、Ｐ波を反射し、それと偏光軸が直交する他方の直線偏光（以下Ｓ波という）を透過させる光透過反射面を有するもので、偏光板５から偏光ビームスプリッター６に入射したＰ波を反射型液晶表示パネル２の画像表示面へ垂直に入射させるように傾斜角が決められ、第一の筐体７により保持されている。
【００２２】
本実施形態の反射型液晶表示装置は、光源３から出射された光を屈折させるための第一の透明部材１０と第二の透明部材１１とを備えている。第一の透明部材１０は、偏光板５から出射されたＰ波が入射する第一の面１０ａと、偏光ビームスプリッター６の光透過反射面と対向する第二の面１０ｂと、反射型液晶表示パネル２の画像表示面と対向する第三の面１０ｃとで構成される側面と、それらの側面と接続される互いに対向する２つの底面（第四の面１０ｄ）とを有する概ね三角柱状の透明部材である。第一の透明部材１０の２つの第四の面１０ｄは、互いの同じの三角形の外形を有し、第一の透明部材１０の第一の面１０ａから第一の透明部材１０の内部へ入射した光（例えば図２に示す偏光成分Ｐ１）の光軸を挟んで互いに対向している。第一の透明部材１０の２つの第四の面１０ｄは、それぞれ、第一の透明部材１０の第一の面１０ａと第二の面１０ｂとが接続される辺の端部から、第一の透明部材１０の第三の面１０ｃに向かって延在し且つ第一の透明部材１０から離れる方向へ向かって延在する、反射型画像表示パネル２の画像表示面に対して傾斜する傾斜面とされている。第一の透明部材１０の２つの第四の面１０ｄがそれぞれ第一の透明部材１０の第一の面１０ａと第二の面１０ｂと第三の面１０ｃと成す角度は、互いに同じである。つまり、第一の透明部材１０の２つの第四の面１０ｄは、第一の透明部材１０の第一の面１０ａから入射した光の光軸を挟んで対称的な傾斜面とされている。第一の透明部材１０の第一の面１０ａと第三の面１０ｃとが成す角度は、鋭角である。
【００２３】
第二の透明部材１１は、第一の筐体７の側面と対向する第一の面１１ａと、偏光ビームスプリッター６の光透過反射面と対向する第二の面１１ｂと、観察者の目９に向かって光が出射される第三の面１１ｃと、反射型液晶表示パネル２の外周部と対向する第四の面１１ｄとで構成される側面と、それらの側面と接続される互いに対向する２つの底面（不図示）とを有する台形柱状の透明部材である。第二の透明部材１１の第三の面１１ｃと第四の面１１ｄは、互いに平行である。
【００２４】
第一の透明部材１０は、第三の面１０ｃが反射型液晶表示パネル２の画像表示面と近接するように、反射型液晶表示パネル２の上方に配置されている。第二の透明部材１１は、第二の面１１ｂが偏光ビームスプリッター６を挟んで第一の透明部材１０の第二の面１０ｂと対向するように、第一の透明部材１０の上方に配置されている。第一の透明部材１０と第二の透明部材１１は、例えば、光の屈折率が１．５程度のアクリルで構成されている。
【００２５】
第二の筐体８の内面のうち、光源３の光出射面と対向する領域には、第一の反射面８ａが設けられている。第一の反射面８ａは、光源３から出射された光の主光束を拡散板４に向けて反射するように角度が設定されている。第一の反射面８ａは、例えば、第二の筐体８を白色樹脂で形成したり、第二の筐体８の内面に反射シートなどを配置したりすることにより、反射面として構成されている。第二の筐体８の内面のうち、第一の反射面８ａを除く領域は、それらと同様に反射面とされていても良いが、反射面とされていなくても良い。
【００２６】
拡散板４は、偏光板５の光入射面に積層され、偏光板５と一体となって第一の透明部材１０の第一の面１０ａと対向する位置に配置されている。拡散板４と偏向板５は、それぞれの光出射面が第一の透明部材１０の第一の面１０ａに対して平行となる状態で第二の筐体８に保持されている。尚、第一の透明部材１０の第一の面１０ａと偏向板５との間には、偏光板５から第一の透明部材１０の第一の面１０ａに入射する光の拡散性を高めるため、空気層が設けられていても良い。また、拡散板４と偏光板５は、それらの上端部（第一の透明部材１０の第二の面１０ｂと隣接する側の端部）が下端部（第一の透明部材１０の第三の面１０ｃと隣接する側の端部）よりも第一の透明部材１０の第一の面１０ａから遠ざかるように、透明部材１０の第一面１０ａに対して傾斜して配置されていても良い。
【００２７】
第一の透明部材１０の第一の面１０ａに対する拡散板４と偏光板５の角度は、第一の透明部材１０の第一の面１０ａから第一の透明部材１０の内部へ入射したＰ波の主光束が、第一の透明部材１０の第三の面１０ｃと反射型液晶表示パネル２との間にある空気層（不図示）との境界面で全反射するように設定されている。全反射する条件は、例えば、第一の透明部材１０の第三の面１０ｃと反射型液晶表示パネル２との間に介在する空気層の屈折率をｎＡ、第一の透明部材１０の屈折率をｎＢ、第一の透明部材１０の第一の面１０ａ側から第三の面１０ｃに入射するＰ波の入射角（第三の面１０ｃの法線に対する角度）をαとした場合に、スネルの法則を用いて導き出される式「ｓｉｎα＝ｎＡ／ｎＢ」に基づき決定される。即ち、全反射する条件としては、第一の透明部材１０の第一の面１０ａ側から第三の面１０ｃに入射するＰ波の入射角が式中のθ（臨界角）よりも大きいこと、となる。
【００２８】
第一の透明部材１０の第二の面１０ｂと第二の透明部材１１の第二の面１１ｂとの間には、所定の厚さの空気層（不図示）が介在し、その空気層の中間に平板状の偏光ビームスプリッター６が配置されることにより、空気層がその厚み方向へ下部空気層（不図示）と上部空気層（不図示）とに分割されている。下部空気層は、偏光ビームスプリッター６の光透過反射面と第一の透明部材１０の第二の面１０ｂとの間に介在し、上部空気層は、偏光ビームスプリッター６の光透過反射面と第二の透明部材１１の第二の面１１ｂとの間に介在している。この構成は、図５に示した従来の反射型液晶表示装置と同様である。但し、下部空気層と上部空気層は、必須ではなく、必要に応じて、何れか一方又は両方が省略されていても良い。下部空気層と上部空気層を省略した場合、偏光ビームスプリッター６の光透過反射面と第一の透明部材１０の第二の面１０ｂは、互いに密着し、偏光ビームスプリッター６の光透過反射面と第二の透明部材１１の第二の面１１ｂは、互いに密着していても良いが、それらの間に透明な接着剤等が介在していても良い。
【００２９】
第一の透明部材１０の第二の面１０ｂの角度は、第一の透明部材１０の第三の面１０ｃで全反射して第一の透明部材１０の第二の面１０ｂに入射するＰ波の主光束が、第一の透明部材１０の第二の面１０ｂと下部空気層（不図示）との境界面で全反射しない角度に設定されている。全反射しない条件は、例えば、下部空気層の屈折率をｎＡ、第一の透明部材１０の屈折率をｎＢ、第一の透明部材１０の第三の面１０ｃ側から第二の面１０ｂに入射するＰ波の入射角（第二の面１０ｂの法線に対する角度）をθとした場合に、スネルの法則を用いて導き出される式「ｓｉｎθ＝ｎＡ／ｎＢ」に基づき決定される。即ち、全反射しない条件としては、第一の透明部材１０の第三の面１０ｃ側から第二の面１０ｂに入射するＰ波の入射角が式中のθ（臨界角）よりも小さいこと、となる。
【００３０】
但し、第一の透明部材１０の第一の面１０ａから入射して、第一の透明部材１０の第三の面１０ｃに入射せずに、直接、第一の透明部材１０の第二の面１０ｂに入射するＰ波の主光束については、この限りではない。即ち、第一の透明部材１０の第二の面１０ｂの角度は、第一の透明部材１０の第一の面１０ａ側から第二の面１０ｂに入射するＰ波が、第二の面１０ｂと空気層（不図示）との境界面で全反射して第一の透明部材１０の内部を第三の面１０ｃへ向かって進み、第三の面１０ｃと空気層（不図示）との境界面で再び全反射して第一の透明部材１０の内部を第二の面１０ｂへ向かって進み、場合によってはそれらの全反射を繰り返して、Ｐ波の主光束が反射型液晶表示パネル２の画像表示面全体に行き渡るような角度にも設定されている。
【００３１】
図２は、本発明による反射型液晶表示装置の一実施形態を示す部分斜視図である。光源３と拡散板４と偏光板５と第二の筐体８とがユニット化された光源ユニット１４より出射されたＰ波の一部である偏光成分Ｐ１は、光源ユニット１４に対向した第一の透明部材１０の第一の面１０ａに入射する。第一の面１０ａに入射した偏光成分Ｐ１は、第一の透明部材１０の内部を通過して第一の透明部材１０の第三の面１０ｃに入射する。第三の面１０ｃに入射した偏光成分Ｐ１は、第三の面１０ｃと空気層（不図示）との境界面で第一の透明部材１０の第二の面１０ｂに向かって全反射し、第一の透明部材１０の内部を通過して第一の透明部材１０の第二の面１０ｂに入射する。第二の面１０ｂに入射した偏光成分Ｐ１は、第二の面１０ｂを通過し、第二の面１０ｂと対向する領域に配置された偏光ビームスプリッター６（不図示）の光透過反射面に入射する。偏光ビームスプリッター６（不図示）の光透過反射面に入射した偏光成分Ｐ１は、光透過反射面で反射型液晶表示パネル２の画像表示面へ垂直に入射する方向へ反射され、第一の透明部材１０の第二の面１０ｂと第一の透明部材１０の内部を通過して第一の透明部材１０の第三の面１０ｃに入射する。第三の面１０ｃに入射した偏光成分Ｐ１は、第三の面１０ｃと空気層（不図示）との境界面で屈折せずに、空気層を通過して反射型液晶表示パネル２の画像表示面に垂直に入射し、そこで映像光（Ｐ波とＳ波の混合光）となって偏光ビームスプリッター６（不図示）側へ反射される。反射された映像光は、空気層を通過して第一の透明部材１０の第三の面１０ｃに入射し、第三の面１０ｃと空気層との境界面で屈折せずに、第一の透明部材１０の内部を通過して第一の透明部材１０の第二の面１０ｂに入射する。第二の面１０ｂに入射した映像光は、第二の面１０ｂを通過し、第二の面１０ｂと対向する領域に配置された偏光ビームスプリッター６（不図示）の光透過反射面に入射する。偏光ビームスプリッター６（不図示）の光透過反射面に入射した映像光に含まれるＳ波（偏光成分Ｓ１）は、偏光ビームスプリッター６（不図示）の光透過反射面を通過し、第二の透明部材１１（不図示）の内部を通過して、第二の透明部材１１（不図示）の第三の面１１ｃ（不図示）と外界（空気層）との境界面で屈折せずに、第二の透明部材１１（不図示）から外界へ出射して観察者の目９に入射し、映像として視認される。
【００３２】
一方、光源ユニット１４より出射されたＰ波のその他の一部である偏光成分Ｐ２は、光源ユニット１４に対向した第一の透明部材１０の第一の面１０ａに斜めに入射する。第一の面１０ａに入射した偏光成分Ｐ２は、第一の透明部材１０の内部を通過して第一の透明部材１０の第四の面１０ｄに入射する。第四の面１０ｄに入射した偏光成分Ｐ２は、第四の面１０ｄとその外側の空気層との境界面で第一の透明部材１０の第三の面１０ｃに向かって全反射し、第一の透明部材１０の内部を通過して、反射型液晶表示パネル２の画像表示領域の周囲に位置する第一の透明部材１０の第三の面１０ｃに入射する。第三の面１０ｃに入射した偏光成分Ｐ２は、第三の面１０ｃを通過し、例えば、第三の面１０ｃに対向する領域に配置された回路基板（不図示）や第一の透明部材１０を保持する筐体（不図示）や反射型液晶表示パネル２の画像表示面に設けられた見切りなどの遮光部材（不図示）に入射し、それらに吸収される。第一の透明部材１０の第四の面１０ｄが反射型液晶表示パネル２の画像表示面に対して傾斜する角度は、第四の面１０ｄで反射された偏光成分Ｐ２が反射型液晶表示パネル２の画像表示領域に直接入射しない角度に設定されている。
【００３３】
尚、図２中の光路を示す矢印は、あくまでも光路を概念的に示したものであり、必ずしも実際の光路と一致するわけではない。また、偏光板５と空気層との境界面、第一の透明部材１０の第一の面１０ａと空気層との境界面、反射型液晶表示パネル２の内部などで生じる光の屈折は、便宜上無視しているが、実際には、そのような光の屈折も考慮して光学系を設計することとなる。
【００３４】
本実施形態では、第一の透明部材１０の第四の面１０ｄが上述のような傾斜面とされているため、第一の透明部材１０の第一の面１０ａから第四の面１０ｄに入射した偏光成分Ｐ２は、反射型液晶表示パネル２の画像表示領域に直接入射しない領域へ向かって反射される。よって、第一の透明部材１０の第四の面１０ｄで反射された光が映像光に混入することに起因して発生するフレア現象やゴースト現象が低減される。
【００３５】
以上の実施形態において、第一の透明部材１０の２つの第四の面１０ｄは、そのうち何れか一方のみが上述の傾斜面とされていても良い。また、第一の透明部材１０の第四の面１０ｄは、その一部のみが上述の傾斜面とされていても良い。また、第一の透明部材１０の第四の面１０ｄは、上述の傾斜面と同様の役割を果たす曲面であっても良い。また、光源３の光を偏光ビームスプリッター６側に照射する方法は、第二の筐体８の内面に設けられた第一の反射面８ａを用いた方法に限らず、例えば、光源３の光出射面と偏光板５の光入射面との間に導光板を介在させる方法や、光源３の光が拡散板４に直接照射されるように光源３の光出射面を拡散板４の光入射面と対向させて配置する方法等、種々の方法が選択可能である。また、拡散板４は、光の拡散性が十分確保されている場合などには省略することが可能である。また、光源３は、回路基板１上ではなく、ＦＰＣなどで構成される別の基板上に実装することも可能である。
【実施例２】
【００３６】
図５は、本発明による反射型液晶表示装置のその他の実施形態を示す部分斜視図である。図５に示す実施形態において、第一の透明部材１０の第四の面１０ｄは、その全体が実施例１と同様の傾斜面とされていることに加え、その一部が第一の透明部材１０の内側へ向かって突出する凹面とされている。凹面は、反射型液晶表示パネル２の画像表示領域に重ならない範囲内で突出している。
【００３７】
光源ユニット１４より出射された偏光成分Ｐ２が第一の透明部材１０の第四の面１０ｄに入射した場合、第四の面１０ｄに入射した偏光成分Ｐ２は、第四の面１０ｄの傾斜面と凹面とで反射され、反射型液晶表示パネル２の画像表示領域の周囲に位置する第一の透明部材１０の第三の面１０ｃに入射する。第一の透明部材１０の第三の面１０ｃに入射した偏光成分Ｐ２は、第三の面１０ｃを通過し、実施例１と同様に、例えば、第三の面１０ｃに対向する領域に配置された回路基板（不図示）などに入射し、そこに吸収される。これにより、実施例１と同様の効果が得られる。
【００３８】
本実施形態において、第一の透明部材１０の第四の面１０ｄは、その全体が実施例１と同様の傾斜面とされているが、傾斜面とされていなくても良い。この場合、第一の透明部材１０の第四の面１０ｄは、その全体が図６に示した従来技術と同様に反射型液晶表示パネル２の画像表示面に対して垂直な面とされると共に、その一部が第一の透明部材１０の内側へ向かって突出する凹面とされることとなる。第一の透明部材１０の第四の面１０ｄは、その全体が傾斜面とされていなかったとしても、その一部が凹面とされていることにより、そこで反射された偏光成分Ｐ２が第一の透明部材１０の第三の面１０ｃに入射する位置が反射型液晶表示パネル２の画像表示面から逸れる位置へ移動するため、実施例１と同様の効果を得ることができる。
【００３９】
本実施形態において、第一の透明部材１０の第四の面１０ｄに設けられた凹面は、２つの第四の面１０ｄのうち何れか一方のみに設けられていても良い。
【実施例３】
【００４０】
図６は、本発明による反射型液晶表示装置のその他の実施形態を示す部分斜視図である。図６に示す実施形態において、第一の透明部材１０の第四の面１０ｄは、その全体が実施例１と同様の傾斜面とされていることに加え、その一部が第一の透明部材１０の外側へ向かって突出する凸面とされている。
【００４１】
光源ユニット１４より出射された偏光成分Ｐ２が第一の透明部材１０の第四の面１０ｄに入射した場合、第四の面１０ｄに入射した偏光成分Ｐ２は、第四の面１０ｄの傾斜面と凸面とで反射され、反射型液晶表示パネル２の画像表示領域の周囲に位置する第一の透明部材１０の第三の面１０ｃに入射する。第一の透明部材１０の第三の面１０ｃに入射した偏光成分Ｐ２は、第三の面１０ｃを通過し、実施例１と同様に、例えば、第三の面１０ｃに対向する領域に配置された回路基板（不図示）などに入射し、そこに吸収される。これにより、実施例１と同様の効果が得られる。
【００４２】
本実施形態において、第一の透明部材１０の第四の面１０ｄは、その全体が実施例１と同様の傾斜面とされているが、傾斜面とされていなくても良い。この場合、第一の透明部材１０の第四の面１０ｄは、その全体が図６に示した従来技術と同様に反射型液晶表示パネル２の画像表示面に対して垂直な面とされると共に、その一部が第一の透明部材１０の外側へ向かって突出する凸面とされることとなる。第一の透明部材１０の第四の面１０ｄは、その全体が傾斜面とされていなかったとしても、その一部が凸面とされていることにより、そこで反射された偏光成分Ｐ２が第一の透明部材１０の第三の面１０ｃに入射する位置が反射型液晶表示パネル２の画像表示面から逸れる位置へ移動するため、実施例１と同様の効果を得ることができる。
【００４３】
本実施形態において、第一の透明部材１０の第四の面１０ｄに設けられた凸面は、２つの第四の面１０ｄのうち何れか一方のみに設けられていても良い。
【００４４】
以上の実施例１〜３においては、反射型液晶表示パネル２の画像表示面に沿った方向に位置する第一の透明部材１０の端部のうち、第四の面１０ｄが設けられた端部とは異なる端部に、第四の面１０ｄと同様の役割を果たす面が設けられていても良い。
【００４５】
第一の透明部材１０と第二の透明部材１１の表面のうち光学面を除く領域（第一の透明部材１０の第四の面１０ｄを含む）には、黒色部材を配置したり、黒色塗料で着色したり、任意の表面処理を施すことなどにより、不要な光を吸収する光吸収部が形成されていても良い。
【００４６】
第一の透明部材１０の第二の面１０ｂと第二の透明部材１１の第二の面１１ｂの表面には、光を偏光ビームスプリッター６の光透過反射面へ垂直に入射する方向から遠ざかる方向へ屈折させる屈折膜が形成されていても良い。この場合、屈折膜の屈折率や厚さは、光をどのように屈折させるかや光の透過率なども考慮して適宜選択されるが、屈折膜は、光の透過をできるだけ妨げない薄膜であるのが好ましい。
【００４７】
第一の透明部材１０の第一の面１０ａと第三の面１０ｃとが成す角度は、図５に示した従来の反射型液晶表示装置と同様に、直角（９０°）であっても良い。
【００４８】
第一の透明部材１０と第二の透明部材１１は、互いに異なる光の屈折率を有していても良い。
【００４９】
第一の透明部材１０と第二の透明部材１１は、互いに同じ形状を有していても良い。
【００５０】
第二の透明部材１１は、必須ではなく、省略されていても良い。
【００５１】
第一の筐体７と第二の筐体８は、それらの内部で発生した不要な光を吸収する黒系色樹脂などで構成されていても良い。
【００５２】
第一の筐体７と第二の筐体８は、互いに一体的に構成されていても良い。
【００５３】
第一の透明部材１０の第二の面１０ｂと偏光ビームスプリッター６との間、第二の透明部材１１の第二の面１１ｂと偏光ビームスプリッター６との間には、空気層が設けられていなくても良い。
【００５４】
拡散板４と偏光板５は、互いに積層されていなくても良い。
【００５５】
拡散板４は、偏光板５と第一の透明部材１０の第一の面１０ａとの間に配置されていても良い。但し、拡散板４は、図１に示したように偏光板５の光入射面側に配置されているのが、光学的には望ましい。
【００５６】
拡散板４と偏光板５は、それらのうち何れか一方のみが第一の透明部材１０の第一の面１０ａに対して傾斜していても良い。
【００５７】
拡散板４と偏光板５は、図１に示した方向とは異なる方向へ傾斜していても良い。また、拡散板４と偏光板５は、互いに異なる方向へ傾斜していても良い。但し、拡散板４と偏光板５は、図１に示したように互いに同じ方向へ傾斜しているのが、光の輝度分布を制御するうえでは望ましい（制御し易い）。何れにしても、拡散板４と偏光板５を傾斜させる方向は、画像の輝度ムラが減少するように適宜決定される。
【００５８】
第一の透明部材１０の第一の面１０ａと偏光板５との間に設けられた空気層は、省略されていても良い。その場合、第一の透明部材１０の第一の面１０ａと偏光板５との間には、透明な樹脂等が介在していても良い。
【００５９】
拡散板４と偏光板５との間、拡散板４の光入射面と対向する位置、又は、偏光板５の光出射面と対向する位置には、プリズムシートなどの光学シートが配置されていても良い。その場合、光学シートは、拡散板４や偏光板５と同様に、第一の透明部材１０の第一の面１０ａに対して傾斜していても良い。
【００６０】
第一の透明部材１０の第三の面１０ｃと反射型液晶表示パネル２の画像表示面との間には、空気層が介在していても、介在していなくても、どちらでも良い。
【００６１】
第二の透明部材１１の第一の面１１ａと筐体８の側面との間には、空気層が介在していても、介在していなくても、どちらでも良い。尚、第二の透明部材１１の第一の面１１ａと筐体８の側面との間に空気層が介在している場合には、その空気層（隙間）に迷光の一部を閉じ込めることが可能となる。
【符号の説明】
【００６２】
１      回路基板
２      反射型液晶表示パネル
３      光源
４      拡散板
５      偏光板
６      偏光ビームスプリッター
７      第一の筐体
８      第二の筐体
８ａ    第一の反射面
８ｂ    第二の反射面
９      観察者の目
１０    第一の透明部材
１０ａ  第一の面
１０ｂ  第二の面
１０ｃ  第三の面
１０ｄ  第四の面
１１    第二の透明部材
１１ａ  第一の面
１１ｂ  第二の面
１１ｃ  第三の面
１１ｄ  第四の面
１２    空気層
１２ａ  下部空気層
１２ｂ  上部空気層
１３    空気層
１４    光源ユニット
【図１】
2020003727.tif 000003
【図２】
2020003727.tif 000004
【図３】
2020003727.tif 000005
【図４】
2020003727.tif 000006
【図５】
2020003727.tif 000007
【図６】
2020003727.tif 000008